(57)【要約】【課題】  従来よりも簡素な構成であると共に面倒な調整を必要としない眼科検査装置を提供する。【解決手段】  光源１２から発せられた光は、コリメータレンズ１６によって平行光に補正された後、液晶シャッタ１８の入射面２０に入射される。液晶シャッタ１８の入射面２０には、その全体が透過状態（最高透過率）となる第１パターンと、当該入射面２０の一部の小さい部分２０ａのみが遮断状態（最低透過率）となる第２パターンと、が交互に形成される。そして、この液晶シャッタ１８の入射面２０を透過した光が、拡大光学系２４を介して被検眼に投射される。これにより、被検眼には、その視野の全体にわたって一様な明るさの映像と、液晶シャッタ１８の入射面２０の一部分２０ａに対応する視標のみが暗く抜け落ちたような映像と、が交互に呈示される。即ち、点滅する視標が呈示される。
2014167688.tif 000002
【特許請求の範囲】
【請求項１】
検査用の視標を含む映像を被検眼に呈示すると共に該被検眼による該視標の視認状況に基づいて該被検眼の検査を行う眼科検査装置において、
１つの光源手段と、
上記光源手段から発せられた光が入射される入射面を有しており該入射面に入射された該光を変調して上記被検眼に投射することで上記映像を該被検眼に呈示するライトバルブ手段と、
上記ライトバルブ手段の上記入射面の一部に入射された上記光によって上記映像のうちの上記視標が形成されると共に該入射面の一部以外の部分に入射された上記光によって該映像のうちの該視標以外の領域である背景が形成されるように該ライトバルブ手段を制御するライトバルブ制御手段と、
を具備することを特徴とする、眼科検査装置。
【請求項２】
上記ライトバルブ制御手段は上記被検眼に呈示される上記視標の明るさが第１レベルと該第１レベルよりも低い第２レベルとに交互に変化すると共に該被検眼に呈示される上記背景の明るさが該第１レベルと同じ一定のレベルとなるように上記ライトバルブ制御手段を制御する、
請求項１に記載の眼科検査装置。
【請求項３】
上記ライトバルブ制御手段は上記視標の明るさが上記第１レベルと上記第２レベルとの間で連続的に変化するように上記ライトバルブ手段を制御する、
請求項２に記載の眼科検査装置。
【請求項４】
上記ライトバルブ手段は透過型の液晶シャッタを含む、
請求項１に記載の眼科検査装置。
【請求項５】
上記ライトバルブ手段と上記被検眼との間に設けられ該ライトバルブ手段によって変調された変調後光を２つに分割する光分割手段をさらに備え、
上記光分割手段によって分割された２つの分割後光の一方が上記被検眼に呈示され、
上記光分割手段によって分割された２つの分割後光の他方を監視する監視手段をさらに備える、
請求項１に記載の眼科検査装置。
【請求項６】
上記監視手段による監視結果に基づいて上記光の強度が一定となるように上記光源手段を制御する光源制御手段をさらに備える、
請求項５に記載の眼科検査装置。
【請求項７】
上記被検眼の視野を測定するための視野計である、
請求項１に記載の眼科検査装置。
【発明の詳細な説明】
【技術分野】
【０００１】
本発明は、眼科検査装置に関し、特に、検査用の視標を含む映像を被検眼に呈示すると共にこの被検眼による視標の視認状況に基づいて当該被検眼の検査を行う、眼科検査装置に関する。
【背景技術】
【０００２】
この種の眼科検査装置として、従来、例えば特許文献１に開示されたものがある。この従来技術によれば、被検眼に呈示される映像のうち視標を形成するための視標光を生成する視標光生成手段と、当該映像のうち視標以外の領域である背景を形成するための背景光を生成する背景光生成手段と、これら視標光および背景光を合成して被検眼に投射する合成手段と、が具備されている。なお、視標光および背景光のそれぞれは、無偏光の光である。そして、合成手段は、当該無偏光の状態を維持したまま、これら視標光および背景光を合成する。【０００３】
具体的には、視標呈示用の光源と、この視標呈示用の光源から発せられた無偏光の光を平行光に補正するコリメータレンズと、このコリメータレンズによって平行光に補正された光が入射される入射面を有する視標呈示用の液晶シャッタと、が設けられている。視標呈示用の液晶シャッタは、その入射面に、液晶コントローラから与えられる視標呈示用のシャッタ制御信号に従うシャッタパターンを形成し、詳しくは当該入射面のうち一部の領域のみを透過領域とし、それ以外の領域を遮断領域とする。これとは別に、背景呈示用の光源と、この背景呈示用の光源から発せられた無偏光の光を平行光に補正するコリメータレンズと、このコリメータレンズによって平行光に補正された光が入射される入射面を有する背景呈示用の液晶シャッタと、が設けられている。背景呈示用の液晶シャッタは、液晶コントローラから与えられる背景呈示用のシャッタ制御信号に従って、その入射面に、視標呈示用の液晶シャッタとは全く正反対のシャッタパターンを形成する。その上で、各液晶シャッタ（透過領域）を透過した光が合成手段としてのハーフプリズムによって合成されて、その合成光が被検眼に投射される。ここで、背景呈示用の光源は、一定の明るさで発光する。一方、視標呈示用の光源は、背景呈示用の光源と同じ明るさで発光する第１の状態と、非発光の第２の状態と、に交互に遷移し、つまり点滅する。この結果、被検眼には、その視野の全体にわたって一様な明るさの映像と、一部の領域のみが暗く言わば抜け落ちたような映像と、が交互に呈示される。言い換えれば、当該一部の領域に対応すると共に点滅する視標と、この視標以外の領域であって当該視標が最も明るいときと同じ一定の明るさの背景と、から成る映像が、呈示される。【０００４】
即ち、視標は、背景と同じ明るさか、それよりも低い（暗い）明るさで、つまり少なくとも背景以下の明るさで、被検眼に呈示される。従って、この視標が呈示されることによる被検眼への入射光量の増大が抑制され、ひいては当該被検眼（網膜）への刺激が抑制される。このことは特に、視野検査をはじめとする自覚的検査（被検者の自覚に基づく検査）において、その信頼性の向上を図る上で極めて有効である。例えば、視野検査においては、被検者（被検眼）の視野の様々な位置に視標が呈示される。被検者は、この呈示された視標を実際に視認し得たときに、応答ボタンを操作する等の所定の意思表示をする。ここで例えば、被検者の視野の一部が欠損しており、この欠損部分に視標が呈示される、とする。このときもし、視標の明るさが背景の明るさよりも高い（明るい）、とすると、被検者は、視標を実際に視認し得ていないにも拘らず、背景よりも明るい当該視標が呈示されることによる刺激を受けて、あたかも当該視標を実際に視認し得ているものと勘違する、つまり誤認識する、恐れがある。この誤認識は言うまでもなく、検査の信頼性の低下を招く。これに対して、従来技術によれば、視標が少なくとも背景以下の明るさで被検眼に呈示されるので、この視標が呈示されることによる当該被検眼への刺激が抑制され、ひいては誤認識が防止される。この結果、信頼性の高い検査が実現される。【０００５】
加えて、被検眼に上述の映像を呈示するために当該被検眼に投射される合成光は、自然光と同じ無偏光の光であるので、当該被検眼の検査に際して、いわゆる偏光の影響を受けない。即ち例えば、被検眼に呈示される合成光が偏光光である場合には、この合成光の被検眼に対する入射角度によって、当該被検眼による映像（視標および背景）の見え方が変わる。このこともまた、検査の信頼性の低下を招く。従来技術によれば、このような偏光の影響を受けないので、信頼性の高い検査が実現される。
【先行技術文献】
【特許文献】
【０００６】
【特許文献１】国際公開第２００９／００１４５８号
【発明の概要】
【発明が解決しようとする課題】
【０００７】
しかし、上述の従来技術では、視標呈示用の光源と背景呈示用の光源とが互いに別個に設けられているので、これら２つの光源間で互いの明るさ（輝度）や色を合わせるための調整が必要であり、極めて面倒である。また、視標呈示用の光源からコリメータレンズおよび液晶シャッタを経てハーフプリズムに至るまでの言わば視標呈示用の光学系と、背景呈示用の光源からコリメータレンズおよび液晶シャッタを経て当該ハーフプリズムに至るまでの言わば背景呈示用の光学系と、の間で、互いの光軸を合わせるための調整も必要であるので、やはり面倒である。加えて、これら２つの光学系やハーフプリズムを含む従来技術よりも、装置全体の構成のさらなる簡素化を実現したい、という希望もある。【０００８】
そこで、本発明は、従来よりも簡素な構成であると共に面倒な調整を必要としない眼科検査装置を提供することを、目的とする。
【課題を解決するための手段】
【０００９】
この目的を達成するために、本発明は、検査用の視標を含む映像を被検眼に呈示すると共にこの被検眼による視標の視認状況に基づいて当該被検眼の検査を行う眼科検査装置において、１つの光源手段を、具備する。そして、この光源手段から発せられた光が入射される入射面を有しており、当該入射面に入射された光を変調して被検眼に投射することで視標を含む映像を被検眼に呈示する、ライトバルブ手段を、具備する。さらに、このライトバルブ手段の入射面の一部に入射された光によって当該映像のうちの視標が形成されると共に、当該ライトバルブ手段の入射面の一部以外の部分に入射された光によって当該映像のうちの視標以外の領域である背景が形成されるように、当該ライトバルブ手段を制御する、ライトバルブ制御手段を、具備する。【００１０】
即ち、本発明によれば、被検眼に呈示される映像は、視標と当該視標以外の領域である背景とから成る。そして、これら視標と背景とは、互いに共通の１つの光源手段から発せられた光が互いに共通のライトバルブ手段を介して被検眼に呈示されることによって形成される。従って例えば、視標呈示用の光源と背景呈示用の光源との２つの光源を有するがゆえに、これら２つの光源間で互いの明るさや色を合わせるための調整が必要である上述の従来技術とは異なり、そのような調整は必要ない。また、視標呈示用の液晶シャッタを含む当該視標呈示用の光学系と背景呈示用の液晶シャッタを含む当該背景呈示用の光学系との２つの光学系を有するがゆえに、これら２つの光学系の間で互いの光軸を合わせるための調整が必要である当該従来技術とは異なり、そのような調整も必要ない。加えて、従来技術とは異なり、光源手段が１つであり、併せて、この光源手段からライトバルブ手段を介して被検眼に至るまでの光学系が１つであり、しかも、ハーフプリズムが不要であるので、当該従来技術と比べて、装置全体の構成のさらなる簡素化が実現される。【００１１】
なお、本発明において、ライトバルブ制御手段は、被検眼に呈示される視標の明るさが第１レベルと当該第１レベルよりも低い第２レベルとに交互に変化すると共に、当該被検眼に呈示される背景の明るさが当該第１レベルと同じ一定のレベルとなるように、ライトバルブ制御手段を制御するのが、望ましい。この構成によれば、被検眼には、その視野の全体にわたって一様な明るさの映像と、視標のみが暗く抜け落ちたような映像と、が交互に呈示される。言い換えれば、点滅する視標と、この視標が最も明るいときと同じ一定の明るさの背景と、から成る映像が、呈示される。要するに、視標は、背景と同じ明るさか、それよりも低い明るさで、つまり少なくとも背景以下の明るさで、呈示される。従って、この視標が呈示されることによる被検眼への入射光量の増大が抑制され、ひいては当該被検眼への刺激が抑制される。このことは特に、視野検査をはじめとする自覚的検査において、その信頼性の向上を図る上で極めて有効である。【００１２】
また、ライトバルブ制御手段は、視標の明るさが第１レベルと第２レベルとの間で連続的に変化するようにライトバルブ手段を制御するのが、望ましい。特に、当該視標の明るさが正弦曲線（ｓｉｎカーブ）的に変化するのが、望ましい。【００１３】
ここで言うライトバルブ手段は、例えば液晶パネルの一種である液晶シャッタであってもよい。この液晶シャッタとしては、特に透過型のものが、好適である。【００１４】
さらに、ライトバルブ手段と被検眼との間に、光分割手段が設けられてもよい。この光分割手段は、ライトバルブ手段によって変調された変調後光を２つに分割する。そして、この光分割手段によって分割された２つの分割後光の一方が、被検眼に呈示される。さらに、当該光分割手段によって分割された２つの分割後光の他方を監視する監視手段が、設けられてもよい。この構成によれば、被検眼に呈示されるのと同じ映像が、監視手段によって同時に、言わばリアルタイムで、監視される。従って、本発明の眼科検査装置を操作するオペレータは、この監視手段による監視結果を基に被検眼への映像の呈示状況を把握することができる。【００１５】
加えて、光源手段から発せられる光の強度が一定となるように当該光源手段を制御する光源制御手段が、設けられてもよい。この場合、当該光源制御手段は、監視手段による監視結果に基づいて光源手段を制御するのが、望ましい。この構成によれば、被検眼に呈示される映像の明るさが安定化されるので、検査の信頼性のさらなる向上が図られる。【００１６】
このような本発明は、被検眼の視野を測定するための視野計に、好適である。
【図面の簡単な説明】
【００１７】
【図１】本発明の第１実施形態に係る視野計の概略構成を示す図である。
【図２】同第１実施形態における液晶シャッタの入射面に形成されるシャッタパターンの一例を示す図解図である。
【図３】図２のシャッタパターンのうち視標に対応する部分の透過率の時間に対する変化を示す図解図である。
【図４】図２のシャッタパターンが形成されたときに被検眼に呈示される映像を示す図解図である。
【図５】本発明の第２実施形態に係る視野計の概略構成を示す図である。
【発明を実施するための最良の形態】
【００１８】
本発明の第１実施形態について、図１〜図４を参照して説明する。【００１９】
図１に示すように、本第１実施形態に係る視野計１０は、１つの光源１２を備えている。この光源１２は、例えば自然光に近い概略白色の光を発する白色発光ダイオード（ＬＥＤ）であり、その明るさ（輝度）は、当該光源１２に接続された光源コントローラ１４による制御によって任意に調整可能とされている。【００２０】
この光源１２から発せられた光は、コリメータレンズ１６によって平行光に補正された後、ライトバルブ手段としての透過型の液晶（ＬＣＤ）シャッタ１８の入射面２０（図１において左側の面）に入射される。液晶シャッタ１８は、これに接続されたライトバルブ制御手段としての液晶コントローラ２０から与えられるシャッタ制御信号に従って、その入射面（厳密には当該入射面と出射面（図１において右側の面）とを含むシャッタ面の有効エリア）２０に、例えば図２に示すようなシャッタパターンを形成する。【００２１】
具体的には、図２（ａ）に示すように、方形の入射面２０の全体が透過状態（最高透過率）となる第１パターンと、図２（ｂ）に示すように、当該入射面２０のうち一部の小さい円形の部分２０ａのみが遮断状態（最低透過率）となる第２パターンと、が交互に形成される。これら第１パターンおよび第２パターンの一方から他方へは、急激に変化するのではなく、適当な時間を掛けて緩やかに変化する。従って、これら第１パターンおよび第２パターンの一方から他方に変化する過程で、図２（ｃ）に示すように、円形の部分２０ａが半透過状態（半遮断状態）となる言わば中途パターンが形成される。より詳しくは、円形部分２０ａに注目すると、この円形部分２０ａの透過率が、図３に示すように、概略正弦曲線的に変化する。なお、この円形部分２０ａの透過率が繰り返し最高または最低となる周期、言い換えれば図２（ａ）に示す第１パターンおよび図２（ｂ）に示す第２パターンのそれぞれが繰り返し形成される周期、言わば繰り返し周期Ｔは、例えば５［ｍｓ］〜１［ｓ］の範囲で任意に調整可能である。液晶シャッタ１８は、例えばその入射面２０の水平方向解像度が１９２０画素、垂直方向解像度が１０８０画素の、いわゆるＦＨＤ（Full High Definition）タイプのものである。そして、当該入射面２０の寸法（対角寸法）は、約１８．７ｍｍ（０．７４インチ）である。勿論、これらの解像度や寸法、さらにはアスペクト比を含め、これ以外のものが採用されてもよい。【００２２】
この液晶シャッタ１８の入射面２０を透過した（液晶シャッタ１８の出射面から出射された）光、言わば変調後光は、拡大光学系２４を介して被検眼に投射される。なお、詳しい図示は省略するが、拡大光学系２４は、フォーカス調整用のレンズを含んでいる。そして、このフォーカス調整用のレンズによって、被検眼（網膜）と液晶シャッタ１８の出射面とが互いに共役になるように、つまり当該被検眼の焦点が液晶シャッタ１８の出射面に会うように、フォーカス調整が成される。【００２３】
このようにして液晶シャッタ１８による変調後光が拡大光学系２４を介して被検眼に投射されることによって、当該被検眼には、図４に示すような映像１００が呈示される。即ち、液晶シャッタ１８によって例えば図２（ａ）に示した第１パターンが形成されているときには、図４（ａ）に示すように、被検眼の視野の全体にわたって一様な明るさの映像１００が呈示される。言い換えれば、当該映像１００のうちの上述した円形部分２０ａに対応する領域である視標１００ａと、当該映像１００のうちの視標１００ａ以外の領域である背景１００ｂとが、互いに同じ明るさで呈示される。【００２４】
一方、液晶シャッタ１８によって図２（ｂ）に示した第２パターンが形成されているときには、図４（ｂ）に示すように、視標１００ａのみが暗く抜け落ちたような映像１００が呈示される。即ち、視標１００ａは、背景１００ｂよりも暗くなることで、当該背景１００ｂと区別化され、言わば表面化される。【００２５】
これら図４（ａ）に示す映像１００と図４（ｂ）に示す映像１００とは、上述の繰り返し周期Ｔに応じて交互に呈示される。この結果、視標１００ａが点滅する。詳しくは、視標１００ａに対応する上述の円形部分２０ａの透過率が図３に示した如く概略正弦曲線的に変化するので、当該視標１００ａもまた、概略正弦曲線的に言わば緩やかに点滅する。従って、図４（ａ）に示す映像１００と図４（ｂ）に示す映像１００との一方から他方に遷移する過程で、図２（ｃ）に示した中途パターンに対応する図４（ｃ）に示すような映像１００が被検眼に呈示される。【００２６】
なお、被検眼に呈示される映像１００の画角は、当該被検眼の視野よりも十分に広く、例えば水平方向において左右のそれぞれに約６０度ずつ（合計１２０度）、垂直方向においても上下のそれぞれに約６０度ずつ（合計１２０度）である。勿論、これに限定されることはない。また、図示は省略するが、視標１００ａとは別に、被検眼を固定させておくための固視用の視標（注視点）も呈示される。【００２７】
さらに、視標１００ａの位置、つまり円形部分２０ａの位置は、任意に変更可能である。加えて、当該視標１００ａの大きさや形状も、任意に変更可能である。極端には、複数の視標１００ａが同時に呈示されるようにすることも可能である。また、この視標１００ａの点滅周期（繰り返し周期）Ｔは、上述の如く５［ｍｓ］〜１［ｓ］の範囲で任意に変更可能である。即ち、周波数換算では、当該視標１００ａの点滅周波数ｆは、１［Ｈｚ］〜２００［Ｈｚ］の範囲で任意に変更可能である。【００２８】
このような構成の視野計１０によれば、次の手順で視野検査が行われる。即ち、拡大光学系２４の出射面側（図１において右側）に被検者の被検眼が置かれた状態で、当該被検眼に視標１００ａが呈示される。被検者は、この視標１００ａを実際に視認し得たときに、例えば図示しない応答ボタンを操作する。検者であるオペレータは、この被検者による応答ボタンの操作状況に基づいて、つまり当該被検者の意思表示に基づいて、当該被検者が視標１００ａを視認し得ているか否かを確認する。この作業は、視標１００ａの位置が適宜に変更されながら繰り返される。その際、必要に応じて、視標１００ａの点滅周期Ｔ（点滅周波数ｆ）が変更される。これによって、被検眼の視野が測定される。【００２９】
ここで、視標１００ａは、少なくとも背景１００ｂ以下の明るさで呈示される。従って、この視標１００ａが呈示されることによる被検眼への入射光量の増大が抑制され、ひいては当該被検眼への刺激が抑制される。このことは、視野検査という被検者の自覚に基づく自覚的検査において、その信頼性の向上を図る上で極めて有効である。そして、これについては、上述した従来技術と同様である。【００３０】
また、上述の光源１２から発せられた光は、無偏光の光であるが、この無偏光の光は、当該無偏光の状態を維持したまま、コリメータレンズ１６，液晶シャッタ１８および拡大光学系２４を介して被検眼に入射される。従って例えば、被検眼に入射される光が偏光光である場合とは異なり、偏光の影響を受けない。このこともまた、検査の信頼性の向上に大きく貢献する。そして、これについても、従来技術と同様である。【００３１】
このように、本第１実施形態に係る視野計１０によれば、従来技術と同様、信頼性の高い視野検査を実現することができる。その上で、当該従来技術では、視標呈示用の光源と背景呈示用の光源との２つの光源を有するがゆえに、これら２つの光源間で互いの明るさや色を合わせるための調整が必要であり、併せて、視標呈示用の液晶シャッタを含む当該視標呈示用の光学系と背景呈示用の液晶シャッタを含む当該背景呈示用の光学系との２つの光学系を有するがゆえに、これら２つの光学系の間で互いの光軸を合わせるための調整が必要であるが、本第１実施形態に係る視野計１０によれば、そのような調整が一切不要である。加えて、本第１実施形態に係る視野計１０によれば、従来技術とは異なり、光源１２が１つであり、また、この光源１２からコリメータレンズ１６，液晶シャッタ１８および拡大光学系２４を介して被検眼に至るまでの光学系が１つであり、しかも、ハーフプリズムが不要であるので、視野計１０全体の構成のさらなる簡素化が実現される。即ち、従来よりも簡素な構成であると共に面倒な調整を必要としない視野計１０が実現される。【００３２】
なお、本第１実施形態においては、光源１２として、白色発光ダイオードが採用されたが、これに限らない。例えば、多数の赤色発光ダイオードと、多数の緑色発光ダイオードと、多数の青色発光ダイオードと、が２次元に配列された、いわゆるＲＧＢ−ＬＥＤ光源が、採用されてもよい。この場合、当該光源１２から発せられる色を任意に変更することが可能となる。また、白熱球やハロゲンランプ等の発光ダイオード以外のものも採用可能である。【００３３】
さらに、光源１２から発せられた光を平行光に補正するためのコリメータレンズ１６が設けられたが、このコリメータレンズ１６は、必須の要素ではない。例えば、光源１２と液晶シャッタ１８との相互間距離が短い場合には、当該光源１２から発せられた光が平行光に補正されなくとも、つまり液晶シャッタ１８に入射される光が平行光でなくとも、被検眼には図４に示したのと同様の適切な映像が呈示され、精確な視野検査が実現される。従って、このような場合には、コリメータレンズ１６は、設けられなくてもよい。【００３４】
そして、ライトバルブ手段として、透過型の液晶シャッタ１８が採用されたが、これに限らない。例えば、反射型の液晶シャッタが採用されてもよい。この場合、当該反射型の液晶シャッタによる反射光（変調後光）が、拡大光学系２４を介して被検眼に呈示される。加えて、多数の微小ミラーが２次元的に配置された構成のマイクロミラーデバイスが採用されてもよい。この場合も、当該マイクロミラーデバイスによる反射光が、拡大光学系２４を介して被検眼に呈示される。【００３５】
続いて、本発明の第２実施形態について、図５を参照して説明する。【００３６】
図５に示すように、本第２実施形態に係る視野計１１０は、上述の第１実施形態に係る視野計１０の構成に、光分割手段としての例えばキューブ型のハーフプリズム３０と、監視手段としての例えばＣＣＤ（Charge Coupled Device）カメラ３２と、光源制御手段としてのフィードバック回路３４と、が付加されたものである。これ以外は、第１実施形態と同様であるので、これらの同様の部分については、同一符号を付して、その詳細な説明は省略する。【００３７】
ハーフプリズム３０は、光源１２から被検眼に至る光路中の液晶シャッタ１８と拡大光学系２４との間に設けられている。そして、当該ハーフプリズム３０は、その内部に境界面３０ａを有しており、この境界面３０ａは、光源１２から被検眼に至る光路に対して、言い換えれば液晶シャッタ１８による変調後光の進行方向に対して、４５度の角度を成している。即ち、液晶シャッタ１８による変調後光は、このハーフプリズム３０の境界面３０ａに入射されて、ここで、透過光と反射光とに等分される。そして、このうちの透過光が、拡大光学系２４を介して被検眼に入射される。一方、境界面３０ａによる反射光は、当該透過光の進行方向に対して直角な方向に向かって進行し、ＣＣＤカメラ３２に入射され、詳しくは当該ＣＣＤカメラ３２内の図示しない撮像面に入射される。【００３８】
ＣＣＤカメラ３２は、フォーカス調整用のレンズを含んでおり、このフォーカス調整用のレンズによって、当該ＣＣＤカメラ３２内の撮像面と液晶シャッタ１８の出射面とが互いに共役になるように、フォーカス調整が成される。これにより、被検眼に呈示されるのと同様の映像１００が、ＣＣＤカメラ３２内の撮像面に投影される。従って、オペレータは、このＣＣＤカメラ３２による撮像結果、つまり撮影映像、を監視することで、被検眼に呈示されるのと同じ映像１００をリアルタイムで把握することができる。【００３９】
さらに、ＣＣＤカメラ３２による撮像結果（例えば輝度信号）は、フィードバック回路３４に与えられる。フィードバック回路３４は、ＣＣＤカメラ３２による撮像結果に基づいて、当該ＣＣＤカメラ３２による撮影映像の明るさが一定となるように、言い換えれば被検眼に呈示される映像１００の明るさが一定となるように、光源コントローラ１４を制御し、ひいては光源１２の明るさを制御する。これにより、被検眼に呈示される映像１００の明るさが安定化され、視野検査の信頼性のさらなる向上が図られる。【００４０】
即ち、本第２実施形態に係る視野計１１０によれば、より信頼性の高い視野検査を実現することができる。【００４１】
なお、本第２実施形態においては、光分割手段として、キューブ型のハーフプリズム３０が採用されたが、これに限らない。例えば、平板状のハーフミラーが採用されてもよい。ただし、ハーフミラーが採用される場合には、その厚みに応じた光の屈折によって透過光側の光軸にズレが生じる。このことを鑑みると、ハーフプリズムよりもハーフプリズム３０が採用される方が好都合である。【００４２】
また、監視手段として、ＣＣＤカメラ３２が採用されたが、これ以外の例えばＣＭＯＳ（Complementary
Metal Oxide Semiconductor）型のイメージセンサを搭載したＣＭＯＳカメラが採用されてもよい。さらに例えば、これらのカメラに代えて、適当な光学系が設けられると共に、この適当な光学系を介して、被検眼に投射されるのと同様の映像が直接的に監視され、または、スクリーン等に投影されるようにしてもよい、【００４３】
加えて例えば、被検眼に呈示される映像１００（光源１２）を監視する必要はなく、当該映像１００の明るさを安定化することにのみ特化するのであれば、ＣＣＤカメラ３２等の監視手段に代えて、光の強度を検出するための光センサ等の光検出手段が設けられると共に、この光検出手段による検出結果が、フィードバック回路３４に与えられるようにしてもよい。
【符号の説明】
【００４４】
１０  視野計
１２  光源
１８  液晶シャッタ
２２  液晶コントローラ
【図１】
2014167688.tif 000003
【図２】
2014167688.tif 000004
【図３】
2014167688.tif 000005
【図４】
2014167688.tif 000006
【図５】
2014167688.tif 000007
【国際調査報告】
2014167688.tif 000008
2014167688.tif 000009
2014167688.tif 000010
2014167688.tif 000011